(57)【要約】【課題】電源供給回路を一つで済むように、システム構成を変えることで、２つの制御装置を一体化する。【解決手段】  集合玄関に設置される集合玄関機１０と、住戸内に設置される住宅情報盤２０と、その住宅情報盤２０と集合玄関機１０との間に接続され、管理人室に設置される制御装置とを備えたインターホンシステムにおいて、制御装置（通話映像盤３０）は、通話制御機能部３１と映像制御機能部３２とを、一つの筐体内に一体化して設けて構成される。  住宅情報盤２０は、集合玄関機１０のカメラ１１で撮像された映像を表示するモニタ２２と、そのモニタ２２に直流電源を供給する電源回路２３とを有している。【選択図】図１
2008103976.tif 000002
【特許請求の範囲】
【請求項１】
集合玄関に設置される集合玄関機と、住戸内に設置される住宅情報盤と、該住宅情報盤と集合玄関機との間に接続され、管理人室に設置される制御装置とを備えたインターホンシステムにおいて、
前記制御装置は、通話制御機能部と映像制御機能部とを、一つの筐体内に一体化して設けて構成されたものであることを特徴とするインターホンシステム。
【請求項２】
前記住宅情報盤は、前記集合玄関機のカメラで撮像された映像を表示するモニタと、該モニタに直流電源を供給する電源回路とを有していることを特徴とする請求項１記載のインターホンシステム。
【発明の詳細な説明】
【技術分野】
【０００１】
この発明は、集合住宅などで使用されるインターホンシステムに関する。
【背景技術】
【０００２】
従来のインターホンシステムとして、例えば、特許文献１に示されるシステムがある。この従来のシステムを図２を使用して説明する。図２において、ＴＣは管理人室ＣＲに設けられた通話制御装置、ＶＣは管理人室ＣＲに設けられ、内部に電源供給回路ＰＳを有する映像制御装置である。なお、通話制御装置ＴＣも、電源供給回路ＰＳ１を有している。インターホンシステムにおいて、通話制御装置ＴＣが通話信号の制御を行い、映像制御装置のＶＣが映像信号の制御を行う。
【０００３】
ＥＰはマンション等の集合住宅の集合玄関に設けられた集合玄関機、ＣＭは集合玄関機ＥＰに設けられたカメラ、ＶＡ１〜ＶＡｎは映像アダプタ、Ｊ１〜Ｊｎは集合住宅の複数の部屋Ｒ１〜Ｒｎにそれぞれ設けられたインターホン通話を行う住宅情報盤、Ｍ１〜Ｍｎは集合住宅の複数の部屋Ｒ１〜Ｒｎにそれぞれ設けられたモニタ装置で、住宅情報盤Ｊ１〜Ｊｎとは、別個に設置されている。また、Ｌ１は通話・制御線、Ｌ２は映像線、Ｌ３は制御線である。なお、図示しないが、住戸の玄関には、カメラを有するテレビドアホン（玄関子機）が設置され、住宅情報盤Ｊ１・・Ｊｎと接続されている。
【０００４】
この従来のインターホンシステムは、住宅情報盤Ｊ１・・Ｊｎとは別個に設けたモニタ装置を使用して、集合玄関機ＥＰで撮像した映像を確認できる。訪問者が例えば集合玄関機ＥＰの図示しないテンキーを操作して訪問すべき部屋番号例えば１０１を入力し、次に図示しない呼出釦を押すと、集合玄関機ＥＰから通話・制御線Ｌ１を介して通話制御装置ＴＣに住宅コードと呼出コードからなる呼出信号が送出される。
【０００５】
通話制御装置ＴＣは、映像制御装置ＶＣに呼出信号（制御信号）を送信し、これにより映像制御装置ＶＣの電源供給回路ＰＳから集合玄関機ＥＰのカメラＣＭに電源が供給され、カメラＣＭの映像信号が映像制御装置ＶＣを介して住宅情報盤Ｊ１・・Ｊｎ側に送信される。また、通話制御装置ＴＣは集合玄関機ＥＰから呼出信号を受信すると、その呼出信号を通話・制御線Ｌ１を介して１０１号室の住宅情報盤Ｊ１に送出し、その後訪問者と１０１号室の居住者との間で通話が行われる。
【０００６】
映像信号についてもう少し詳しく説明すると、映像制御装置ＶＣはカメラＣＭから映像信号を受信すると、その映像信号と内蔵された電源供給回路ＰＳが出力する電源信号を重畳して各映像アダプタＶＡ１に送出している。そして、通話の呼出が行われている１０１号室の住宅情報盤Ｊ１からそれに対応する映像アダプタＶＡ１に制御線Ｌ３を介して制御信号が送られると、映像アダプタＶＡ１は対応するモニタ装置Ｍ１と映像線Ｌ２との回線を接続して映像信号と電源信号を１０１号室のモニタ装置Ｍ１に送出する。そして、モニタ装置Ｍ１が起動して訪問者が映し出される。
【０００７】
このようにして、１０１号室の居住者は訪問者との通話とモニタ装置Ｍ１の映像とで訪問者を確認することができる。ここで、集合玄関に入館用の自動ドアがある場合には、住宅情報盤Ｊ１の図示しない解錠スイッチを操作すると、通話・制御線Ｌ１を介して集合玄関機ＥＰの電気錠に解錠信号が送られ、自動ドアが開放される。
【特許文献１】特開２００１−３５２５４０号公報
【発明の開示】
【発明が解決しようとする課題】
【０００８】
従来のインターホンシステムにおいては、管理人室に、映像制御装置と通話制御装置の２つの制御装置を設置しており、２台を設置するための広いスペースを必要としていた。また、個々に、電源供給回路（電源回路）を必要とするため、２つの電源供給回路を用意しなければならないという問題があった。
【０００９】
そこで、本発明は、電源供給回路を一つで済むように、システム構成を変えることで、２つの制御装置を一体化することを目的とする。
【課題を解決するための手段】
【００１０】
本発明は、集合玄関に設置される集合玄関機と、住戸内に設置される住宅情報盤と、該住宅情報盤と集合玄関機との間に接続され、管理人室に設置される制御装置とを備えたインターホンシステムにおいて、制御装置は、通話制御機能部と映像制御機能部とを、一つの筐体内に一体化して設けて構成されたものであることを特徴とするものである。
【発明の効果】
【００１１】
この発明によれば、通話制御装置と映像制御装置を一つの筐体に一体化することで、筐体の設置スペースを小さくした。
【００１２】
また、住宅情報盤が、集合玄関機のカメラで撮像された映像を表示するモニタと、そのモニタに直流電源を供給する電源回路とを有しているので、管理人室の制御装置から映像信号に電源を重畳させて送る必要をなくすことができる。このため、従来の映像制御装置の電源供給回路が不要となり、通話制御装置が有していた電源供給回路一つで、制御装置全体に電源を供給でき、筐体を大きくすることなく、今までと同じ大きさの筐体内に、通話制御機能と映像制御機能を設けることが可能となった。
【発明を実施するための最良の形態】
【００１３】
この発明の実施の形態を図１に基づいて説明する。図１は、この発明のインターホンシステムの構成を示すブロック図である。
【００１４】
図１のインターホンシステムは、集合玄関に設置される集合玄関機１０と、住戸内に設置される住宅情報盤２０と、管理人室に設置される制御装置としての通話映像盤３０とから構成されている。通話映像盤３０は、住宅情報盤２０と集合玄関機１０との間に接続され、それぞれの機器は、映像線、通話線、制御線によって接続され、集合玄関機１０は、通話映像盤３０を介して住宅情報盤２０と相互に通話可能になっている。
【００１５】
通話映像盤３０は、従来の通話制御装置が備えていた、システムにおける通話を制御する機能である通話制御機能部３１と、従来の映像制御装置が備えていた、システムにおける映像を制御する機能である映像制御機能部３２とを有している。そして、２つの制御装置を一体化することで、両機能部３１，３２を、一つの筐体内に一体化して設けるように構成したものである。
【００１６】
通話映像盤３０は、通話制御機能部３１，映像制御機能部３２に電源を供給する電源供給部３３を備えている。この電源供給部３３は、商用電源に接続され、交流電源を２４Ｖの直流電源にして、それから５Ｖの直流電源にして、必要な電圧の直流電源を各機能部３１，３２に供給する。また、電源供給部３３は、集合玄関機１０にも電源を供給する。
【００１７】
なお、通話映像盤３０は、インターホンシステムの通話・映像を制御する機能の他に、各住戸に設置した住宅情報盤２０とほぼ同じ機能を有する管理人室親機としての機能を併せ持つ。この通話映像盤３０は、集合玄関機１０からの呼出がある時に、呼出信号を住宅情報盤２０に出力し、住宅情報盤２０側で通話操作が行われると、住宅情報盤２０と集合玄関機１０との間で通話が行えるように制御する。
【００１８】
続いて、集合玄関機１０と住宅情報盤２０について説明する。集合玄関機１０は、訪問者を撮像するカメラ１１と、カメラ１１の映像信号を例えばＦＭ変調する変調回路１２と、住戸番号を指定するテンキーや呼出釦からなる操作部１３と、通話回路１４とを備えている。
【００１９】
住宅情報盤２０は、集合玄関機１０と通話を行うための通話部２１と、集合玄関機１０のカメラ１１で撮像された映像を表示するモニタ２２と、電源回路２３と、操作部２４とを有している。電源回路２３は、商用電源に接続され、交流電源を、例えば２４Ｖの直流電源にして、通話部２１やモニタ２２に直流電源を供給する。
【００２０】
このように、本発明のインターホンシステムにおいては、住宅情報盤２０は、モニタ２２を本体に内蔵しており、住宅情報盤２０の電源回路２３でモニタ２２を起動するようにしてある。このため、従来技術のように、モニタが住宅情報盤とは別個に設けられていないので、管理人室の映像制御装置から映像信号に電源を重畳させて送る必要がない。このように、通話映像盤３０から住宅情報盤２０への映像線Ｌ２は、映像信号だけを送るものとなるので、従来の映像信号と電源を重畳させて送る場合に比べて、配線の長さを長くすることが可能となる。
【００２１】
こうして、本インターホンシステムの制御装置には、住戸のモニタに電源を供給するための電源供給回路が不要となり、従来の通話制御装置が有していた小型の電源供給回路一つで、制御装置全体に電源を供給することが可能で、制御装置を小型化できる。このように、従来、必要であった映像制御装置の電源供給回路をなくすことで、筐体を大きくすることなく、今までと同じ大きさの筐体内に、通話制御機能と映像制御機能を設けることが可能となり、２台分必要であった筐体の設置スペースを小さくすることができた。
【００２２】
次に、この発明の動作について説明する。訪問者が集合玄関に来て、集合玄関機１０の操作部１３のテンキーで訪問したい住戸番号を入力して呼出釦を押す。そうすると、通話制御線Ｌ１を介して通話制御機能部３１に呼出信号が送出される。呼出信号は、そのまま通話制御線Ｌ１を介して住宅情報盤２０へ送られ、住宅情報盤２０では、その呼出信号を受信すると、呼出音を出すと共に、電源回路２３の電源をモニタ２２に供給してモニタ２２を起動する。なお、通話映像盤３０において、通話制御機能部３１は、呼出信号を、映像制御機能部３２にも出力する。
【００２３】
映像制御機能部３２は、呼出信号の受信に伴い、図示しないスイッチを閉じて、電源供給部３３の直流電源を集合玄関機１０へと供給し、こうしてカメラ１１が駆動して訪問者を撮影する。カメラ１１で撮像された映像信号は、変調回路１２でＦＭ変調され、映像線Ｌ２を介して映像制御機能部３２に出力される。
【００２４】
その変調された映像信号は、映像線Ｌ２を介して映像制御機能部３２から映像アダプダ側４０へと送られ、そこから住宅情報盤２０へ送られる。ここで、映像線Ｌ２は、映像信号だけを送るものであり、電源は送っていない。なお、必要に応じて、導通確認用の直流電源２４Ｖを映像信号に重畳して送るようにしてもよい。
【００２５】
住宅情報盤２０では、図示しない復調回路が、変調された映像信号を復調して、モニタ２２に出力する。こうして、住戸内において、モニタ２２により、集合玄関機１０のカメラ１１の映像を確認することができる。ここで、住宅情報盤２０で操作部２４にある通話釦を操作すれば、住宅情報盤２０の通話部２１と集合玄関機１０の通話回路１４とが接続され、両者間で、インターホン通話を行うことができる。
【図面の簡単な説明】
【００２６】
【図１】本発明のインターホンシステムのブロック図である。
【図２】従来のインターホンのシステム図である。
【符号の説明】
【００２７】
１０  集合玄関機、  １１  カメラ、  １２  変調回路、  １３  操作部、
１４  通話回路、  ２０  住宅情報盤、  ２１  通話部、  ２２  モニタ、
２３  電源回路、  ２４  操作部、  ３０  通話映像盤、
３１  通話制御機能部、  ３２  映像制御機能部、  ３３  電源供給部、
４０  映像アダプタ、  ｔｔ
【図１】
2008103976.tif 000003
【図２】
2008103976.tif 000004